(57)【要約】【課題】リバーシブルバッグにおける裏返し作業を容易に行なえるかばんを提供することを目的とする。【解決手段】かばん１は、表面１３と裏面１４とを裏返して使用可能な本体かばん１０と、その本体かばん１０の開口部１２から出し入れできる中かばん２０とを備える。かばん１に物をいれる際には、本体かばん１０に収納した中かばん２０に物を入れる。そして、本体かばん１０を裏返すときは、中かばん２０を取り出してから本体かばん１０を裏返し、再度中かばん２０を本体かばん１０に入れる。これにより、本体かばん１０の裏返し作業が容易になる。【選択図】図１
2006239168.tif 000002
【特許請求の範囲】
【請求項１】
物を出し入れする開口部及びその開口部を開閉するための開閉部を備え、表面と裏面とを裏返して使用可能な本体かばんと、
前記本体かばんの開口部から出し入れでき、前記物を収納可能な中かばんと、
を備えることを特徴とするかばん。
【請求項２】
前記中かばんは、物を出し入れする開口部と、少なくとも正面と背面とを備えて形成され、
前記正面及び背面における前記開口部に近い箇所に、前記正面及び背面の一部をくりぬいて形成した把持部を備える、
ことを特徴とする請求項１に記載のかばん。
【請求項３】
前記中かばんは、透明性素材により形成される、
ことを特徴とする請求項１又は２に記載のかばん。
【請求項４】
前記本体かばんは、正面、背面、右側面、左側面、上面、及び底面を含む略直方体状に形成され、
前記開閉部は、前記本体かばんにおける開口部周辺に沿って取り付けられたエレメント及び少なくとも一つのスライダーからなるファスナーにより構成され、前記エレメントは、一端部及び他端部が前記本体かばんの底面に取り付けられ、前記本体かばんの底面から右側面、上面、左側面、及び底面にかけて連続して取り付けられる、
ことを特徴とする請求項１乃至３のいずれか一つに記載のかばん。
【発明の詳細な説明】
【技術分野】
【０００１】
本発明はかばんに係り、特にリバーシブルバッグの利便性を向上させるかばんに関する。
【背景技術】
【０００２】
かばんの表面と裏面とを裏返して使うことができるリバーシブルバッグがある。特許文献１には、このリバーシブルバッグの例として、表面と裏面とを裏返すための裏返し手段を備えたリバーシブルバッグが開示されている。
【特許文献１】特開平７−１１１９１０号公報
【発明の開示】
【発明が解決しようとする課題】
【０００３】
特許文献１のようなリバーシブルバッグでは、表面と裏面とを裏返す際に、一旦バッグの中身をとり出す必要がある。そのため、中身が多くある場合には中身の取り出し及び裏返した後に中身を詰め込む作業に手間がかかったり、中身を詰め込む際に詰めこみもれが生じやすいという問題があった。更に、上述の特許文献１では、表面と裏面とを裏返すための裏返し手段を物を出し入れする出し入れ開口部と別に設けるため、リバーシブルバッグの生産コストがその分余計にかかるという問題があった。
【０００４】
本発明はこのような問題点に鑑みてなされたもので、リバーシブルバッグにおける裏返し作業及び中身の出し入れ作業を容易に行えるかばんを提供することを目的とする。
【課題を解決するための手段】
【０００５】
上記課題を解決するため、本発明に係るかばんは、物を出し入れする開口部及びその開口部を開閉するための開閉部を備え、表面と裏面とを裏返して使用可能な本体かばんと、前記本体かばんの開口部から出し入れでき、前記物を収納可能な中かばんと、を備える。
【０００６】
この発明によれば、予め、中かばんを本体かばんに入れて置き、かばんに物を収納する際には中かばんに物を入れる。そして、本体かばんを裏返すときには、中かばんを本体かばんから取り出し、本体かばんの裏返しが終わったら、再び中かばんを本体かばんに収納する。これにより、本体かばんの裏返し作業及び物の出し入れ作業を容易に行なうことができる。
【０００７】
また、前記中かばんは、物を出し入れする開口部と、少なくとも正面と背面とを備えて形成され、前記正面及び背面における前記開口部に近い箇所に、前記正面及び背面の一部をくりぬいて形成した把持部を備えてもよい。
【０００８】
この発明により、利用者の手を中かばんの把持部に通すことができ、中かばんの持ち運びが容易にできる。また、把持部が中かばんの正面及び背面をくりぬいて形成されるため、中かばんを本体かばんに収納した際にも把持部が邪魔にならない。
【０００９】
また、前記中かばんは、透明性素材により形成されてもよい。
【００１０】
この発明により、中かばんに収納された物を正面及び背面からも容易に視認できる。
【００１１】
また、前記本体かばんは、正面、背面、右側面、左側面、上面、及び底面を含む略直方体状に形成され、前記開閉部は、前記本体かばんにおける開口部周辺に取り付けられたエレメント及び少なくとも一つのスライダーからなるファスナーにより構成され、前記エレメントは、一端部及び他端部が前記本体かばんの底面に取り付けられ、前記本体かばんの底面から右側面、上面、左側面、及び底面にかけて連続して取り付けられてもよい。
【００１２】
この発明により、本体かばんの底面まで開くことができるため、容易に裏返すことができる。
【発明の効果】
【００１３】
この発明によると、本体かばんを裏返す際に中かばんを出し入れすればよく、リバーシブルバッグの裏返し作業を容易に行えるかばんを提供することができる。
【発明を実施するための最良の形態】
【００１４】
以下、添付した図面を参照し本発明の好ましい実施の形態を説明する。
【００１５】
図１は、本発明の好ましい実施形態に係るかばん１を示す斜視図である。かばん１は、本体かばん１０とその中に収納される中かばん２０とを備える。本体かばん１０に物を入れる場合には、予め本体かばん１０に中かばん２０を入れておき、その中かばん２０に物を入れる。
【００１６】
次に図２に基づいて、本体かばん１０の構成について説明する。図２（Ａ）は、かばん１を構成する本体かばん１０であって、開口部１２を閉じて表面１３を外に出した状態を示す斜視図である。図２（Ｂ）は、図２（Ａ）の状態から開口部１２をあけて内側を広げた状態を示す斜視図である。図２（Ｃ）は、図２（Ｂ）の状態から表面１３と裏面１４とを裏返し、裏面１４を外に出して開口部１２を閉じた状態を示す斜視図である。
【００１７】
本体かばん１０は、正面１０ａ、背面１０ｂ、左側面１０ｃ、右側面１０ｄ、上面１０ｅ、底面１０ｆからなる横長の略直方体状に形成される。正面１０ａ及び背面１０ｂには、本体かばん１０を持つための把持部１１を備える。
【００１８】
本体部１０の表面１３と裏面１４とはデザインが異なる。例えば、表面１３は通学用バッグとして利用できるように学校指定カラーなどを用いたデザインを施し、裏面１４はファッション性に富んだカラーや模様を用いたデザインを施す。これにより、使用用途に応じて表面１３と裏面１４とを使い分けることができる。
【００１９】
また、本体かばん１０は、ナイロン、ポリエステル、綿、ポリ塩化ビニル素材を用いて作られる。表面１３と裏面１４とを同一素材により構成しても良いし、表面１３と裏面１４とを異なる素材を用いて構成しても良い。例えば、表面１３は、撥水性が高い素材としてナイロン素材を用い、裏面１４は、綿素材を用いて構成しても良い。これにより、表面１３と裏面１４とで風合いの違いを楽しんだり、降雪雨の有無で表面１３と裏面１４とを使い分けたりすることができる。
【００２０】
本体かばん１０における開口部１２の周囲には、開口部１２を開閉する部材としてファスナーが取り付けられる。ファスナーは、本体かばん１０に固定され、開口部１２を閉じるときにかみ合わせるエレメント（務歯部）１５と、ファスナーの開閉時に指で保持してエレメント１５をかみ合わせたり離したりするための二つのスライダー１６Ｌ、１６Ｒとを備える。本体かばん１０の開口部１２を示すときは各スライダー１６Ｌ、１６Ｒをスライドさせてスライダー１６Ｌ、１６Ｒを隣合わせることにより、開口部１２を閉じる。
【００２１】
本体かばん１０を裏返しする場合には、各スライダー１６Ｌ、１６Ｒをスライドさせて開口部１２を全開にする。そして、表面１３と裏面１４とを裏返す。エレメント１５が、底面から右側面、上面、左側面、底面にかけて取り付けたれているため、開口部１２が広くなり、本体かばん１０を裏返しやすくなる。また、本体かばん１０を裏返すときは、中かばん２０を出し入れすればよく、内容物がばらばらになることを防ぐ。
【００２２】
図３に基づいて、中かばん２０について更に説明する。
【００２３】
中かばん２０は、本かばん１０の底面１０ｆよりも小さい底面２０ｆと、正面２０ａ及び背面２０ｂとを備える。また、本体かばん１０の側面１０ｃ、１０ｄの幅よりも小さい幅をもつマチ、すなわち左側面２０ｃ及び右側面２０ｄを備える。正面２０ａ及び背面２０ｂにおける開口部２２中央付近には、正面２０ａ及び背面２０ｂをくりぬいて形成した把持部２１を備える。この把持部２１に手を通して中かばん２０を持つことができる。また、把持部２１が、正面２０ａ及び背面２０ｂをくりぬいて形成されているため、中かばん２０を本体かばん１０に収納した場合にも把持部２１が邪魔にならない。更に、買物などにより物が増えた場合には、中かばん２０を本体かばん１０からとりだし、本体かばん１０と中かばん２０とにそれぞれ物をいれて持ち運ぶことができ、かばん１の収容力を増やすことができる。
【００２４】
中かばん２０は、透明素材、例えば透明なナイロン素材などを用いて構成される。これにより、中かばん２０の中身を容易に目で見ることができる。
【００２５】
また、中かばん２０をナイロン素材のように容易に変形する素材を用いて構成した場合には、中かばん２０の底面２０ｆを補強するための底板を敷いて物を収納しても良い。
【図面の簡単な説明】
【００２６】
【図１】かばん１の斜視図
【図２】本体かばん１０に中かばん２０を入れた状態を示す斜視図
【図３】中かばんを示す斜視図
【符号の説明】
【００２７】
１：かばん、１０：本体かばん、１１：把持部、１２：開口部、１３：表面、１４：裏面：、１５：エレメント、１６Ｌ、１６Ｒ：スライダー、２０：中かばん、２１：把持部、２２：開口部
【図１】
2006239168.tif 000003
【図２】
2006239168.tif 000004
【図３】
2006239168.tif 000005